(57)【特許請求の範囲】
【請求項１】
上側フレームと下側フレームとの間に網体を支持して成るフェンスの網体支持構造において、
前記網体は、前記上側フレームと前記下側フレーム間に所定間隔を空けて配される縦棒群と、当該縦棒群を連結する少なくとも１本の横棒と、を含み、
前記縦棒群は、少なくとも１本の引張棒と当該引張棒以外の突っ張り棒群と、を含み、  前記上側フレームには、前記引張棒に対応する上側貫通孔群が高さ方向に形成され、
前記下側フレームには、前記引張棒下端部を係止するための係止構造が形成され、
前記各上側貫通孔には、前記上側フレーム上端側から上側嵌合ピンが嵌合され、
前記上側嵌合ピンは、前記上側貫通孔内に嵌入されるピン本体と、当該上側貫通孔内に形成された係止段部に係止される上端フランジと、を含み、
前記ピン本体には、その下端部から縦方向にネジ孔が形成され、
前記引張棒下端部を前記下側フレームに係止し、かつ、前記ネジ孔に前記引張棒上端部に形成されたネジ部を螺合させることにより、当該上側フレームと当該下側フレームとを互いに引っ張り合うように構成され、
前記突っ張り棒群は、各突っ張り棒の上端部が前記上側フレームの下端部に、かつ、各突っ張り棒の下端部が前記下側フレームの上端部に、それぞれ当接して前記引張棒の引張力に抗するように構成されていることを特徴とするフェンスの網体支持構造。
【請求項２】
前記係止構造は、前記引張棒に対応して前記下側フレームの高さ方向に形成された下側貫通孔と、当該下側貫通孔を貫通して当該下側フレーム下端面から突出する当該引張棒下端部外周に形成されたネジ部と、当該ネジ部に螺合するボルトと、を含むことを特徴とする請求項１に記載したフェンスの網体支持構造。
【請求項３】
前記係止構造は、前記引張棒に対応して前記下側フレームの高さ方向に形成された下側貫通孔と、当該下側貫通孔に当該下側フレーム下端側から嵌合される下側嵌合ピンと、を含み、
前記下側嵌合ピンは、前記上側貫通孔内に嵌入されるピン本体と、当該下側貫通孔内に形成された係止段部に係止される下端フランジと、を含み、
前記ピン本体には、その上端部から縦方向にネジ孔が形成され、
前記ネジ孔に前記引張棒下端部に形成されたネジ部を螺合させるように構成されていることを特徴とする請求項１に記載したフェンスの網体支持構造。
【請求項４】
前記上側貫通孔は、その上端部に閉鎖キャップを嵌合させられるように構成されていることを特徴とする請求項１乃至３の何れかに記載したフェンスの網体支持構造。
【請求項５】
上側フレームと下側フレームとの間に網体を支持して成るフェンスの網体支持構造において、前記網体は、前記上側フレームと前記下側フレームとの間に架け渡される少なくとも１本の縦棒を含み、前記縦棒は、その上端部が前記上側フレームにネジ固定され、かつ、その下端部が前記下側フレームにネジ固定されているフェンスの網体支持構造であって、
前記縦棒は、前記上側フレームと前記下側フレームとを互いに引っ張り合うようにネジ固定され、
前記縦棒上端部下方には、前記上側フレーム下端面に当接してネジ固定による当該上側フレームの下降を阻止するための上側当接部が設けられ、かつ、前記縦棒下端部上方には、前記下側フレーム上端面に当接してネジ固定による当該下側フレームの上昇を阻止するための下側当接部が設けられていることを特徴とするフェンスの網体支持構造。
【発明の詳細な説明】
【０００１】
【発明の属する技術分野】
本発明は、たとえば、ペットの周りを囲むためのフェンスに関し、より詳しくは、フェンスの網体支持構造に関するものである。
【０００２】
【従来の技術】
これまでに知られているフェンスとして、本出願人が出願した実用新案登録第３０４５３８１号の実用新案掲載公報に記載されたフェンス（以下、「従来のフェンス」という）がある。従来のフェンスは、複数個の枠体を備えており、隣り合う枠体は連結部により連結されるようになっている。この連結部は、隣り合う一方の上側フレームから側方に突き出る下側連結片と、他方の上側フレームから側方に突き出る上側連結片と、を厚み方向に重ね合わせ、下側連結片に形成された嵌合穴と上側連結片に形成された嵌合穴とを整合させた後に連結用キャップを両嵌合穴に貫通させるように構成されている。下側フレーム同士も上記の構成と同様な構成により連結されるようになっており（考案掲載公報００２４，００２５，００２６参照）、これにより、枠体同士は、上下の連結用キャップを枢軸として回動（回転）するようになっている。枠体は、上記した上側フレーム及び下側フレームと、両フレーム間に支持される複数の棒材から成る網体と、から構成され、両フレームには、棒材を嵌合支持するための棒材嵌合穴（パイプ穴）が棒材と同数個設けられている。複数のパイプ穴のうち、ほぼ１つおきにネジ穴が設けられ、これらのネジ穴には、固定用ネジがねじ込まれ、ねじ込まれた固定用ネジの先端を棒材に食いこませることにより棒材（網体）を上側フレームと下側フレームとの間に支持するようになっている（同００２３参照）。
【０００３】
【発明が解決しようとする課題】
従来のフェンスを製造するためには、上述したように棒材と同数のパイプ穴を形成し、かつ、これらのパイプ穴のうち１つおきにネジ穴を形成しなければならない。したがって、製造に手間がかかってしまう欠点があった。本発明が解決しようとする課題は、形成しなければならないパイプ穴の数を出切る限り少なくすることにより、製造にかかる手間が少ないフェンスの網体支持構造を提供することにある。
【０００４】
【課題を解決するための手段】
上記課題を解決するために本発明は、次項以下で説明する構成を備えている。なお、何れかの請求項の説明において行う用語の定義等は、その性質上可能な範囲において他の請求項の説明においても適用されるものとする。
【０００５】
（請求項１に記載した発明の構成）
請求項１に記載した発明に係るフェンスの網体支持構造（以下、請求項１の支持構造」という）は、上側フレームと下側フレームとの間に網体を支持して成る支持構造である。請求項１の支持構造は、前記網体は、前記上側フレームと前記下側フレーム間に所定間隔を空けて配される縦棒群と、当該縦棒群を連結する少なくとも１本の横棒と、を含み、前記縦棒群は、少なくとも１本の引張棒と当該引張棒以外の突っ張り棒群と、を含み、前記上側フレームには、前記引張棒に対応する上側貫通孔群が高さ方向に形成され、前記下側フレームには、前記引張棒下端部を係止するための係止構造が形成され、前記各上側貫通孔には、前記上側フレーム上端側から上側嵌合ピンが嵌合され、前記上側嵌合ピンは、前記上側貫通孔内に嵌入されるピン本体と、当該上側貫通孔内に形成された係止段部に係止される上端フランジと、から構成され、前記ピン本体には、その下端部から縦方向にネジ孔が形成され、前記引張棒下端部を前記下側フレームに係止し、かつ、前記ネジ孔に前記引張棒上端部に形成されたネジ部を螺合させることにより、当該上側フレームと当該引張棒上端部に形成されたネジ部を螺合させることにより、当該上側フレームと当該下側フレームとを互いに引っ張り合うように構成され、前記突っ張り棒群は、各突っ張り棒の上端部が前記上側フレームの下端部に、かつ、各突っ張り棒の下端部が前記下側フレームの上端部に、それぞれ当接して前記引張棒の引張力に抗するように構成されていることを特徴とする。請求項１の支持構造における「係止構造」には、当業者が採用し得るあらゆる構造が該当する。
【０００６】
（請求項１に記載した発明の作用効果）
請求項１の支持構造は、次に述べる作用を奏し効果が期待できる。すなわち、請求項１の支持構造は、上側フレームと下側フレームとの間に網体を支持する、という基本的な作用効果を奏する。網体は、上側フレームと下側フレームとを互いに引っ張り合うように構成された引張棒の引張力と、この引張力に抗する突っ張り棒群の突っ張り力との均衡により、上側フレームと下側フレームとの間に支持される。引張棒の引張力は、その一端が係止構造により係止された状態で、嵌合ピンのネジ穴への引張棒のネジ部の螺合により生じ、突っ張り棒の突っ張り力は上側フレーム及び下側フレームへの当接により生じる。係止段部に係止された上端フランジは、当該引っ張り力によりピン本体が貫通孔内に引き込まれるのを防止する。以上のとおり、上側フレーム又は下側フレームに形成する貫通孔は、すべての縦棒群に対応させる必要はなく１又は２以上の引張棒（群）にさえ対応させれば足りる。このため、形成する貫通孔の数を必要最小限に抑えることができ、これにより、製造の手間を省くことができるし、これに伴う組立や分解の手間を省くこともできる。
【０００７】
（請求項２に記載した発明の構成）
請求項２に記載した発明に係るフェンスの網体支持構造（以下、「請求項２の支持構造」という）は、請求項１の支持構造の構成に限定が加わり、前記係止構造は、前記引張棒に対応して前記下側フレームの高さ方向に形成された下側貫通孔と、当該下側貫通孔を貫通して当該下側フレーム下端面から突出する当該引張棒下端部外周に形成されたネジ部と、当該ネジ部に螺合するボルトと、を含むことを特徴とする。
【０００８】
（請求項２に記載した発明の作用効果）
請求項２の支持構造は、請求項１の支持構造の作用効果に加え、次の作用を奏し効果が期待できる。すなわち、引張棒の下端は下側貫通孔を貫通して下側フレームカ端面から下方に突き出し、その外周のネジ溝に螺合するボルトの締め付け力により引張棒下端が下側フレームに係止される。
【０００９】
（請求項３に記載した発明の構成）
請求項３に記載した発明に係るフェンスの網体支持構造（以下、「請求項３の支持構造」という）は、請求項１の支持構造の構成に限定が加わり、前記係止構造は、前記引張棒に対応して前記下側フレームの高さ方向に形成された下側貫通孔と、当該下側貫通孔に当該下側フレーム下端側から嵌合される下側嵌合ピンと、を含み、前記下側嵌合ピンは、前記上側貫通孔内に嵌入されるピン本体と、当該下側貫通孔内に形成された係止段部に係止される下端フランジと、を含み、前記ピン本体には、その上端部から縦方向にネジ孔が形成され、前記ネジ孔に前記引張棒下端部に形成されたネジ部を螺合させるように構成されていることを特徴とする。
【００１０】
（請求項３に記載した発明の作用効果）
請求項３のフェンスは、請求項１の支持構造の作用効果に加え、次の作用を奏し効果が期待できる。すなわち、請求項３の支持構造においては、請求項２の支持構造のボルトの代わりに下側嵌合キャップが引張棒下端部を下側フレームに係止する。下側嵌合キャップ自身の作用効果は、請求項１の支持構造の上側嵌合キャップの作用効果と同じである。
【００１１】
（請求項４に記載した発明の構成）
請求項４に記載した発明に係るフェンスの網体支持構造（以下、「請求項４の支持構造」という）は、請求項１乃至３の何れかの支持構造の構成に限定が加わり、前記上側貫通孔は、その上端部に閉鎖キャップを嵌合させられるように構成されていることを特徴とする。閉鎖キャップは、上側貫通孔上端部を閉鎖できるものであれば、その形状や材質等を問わない。
【００１２】
（請求項４に記載した発明の作用効果）
請求項４のフェンスは、請求項１乃至３の何れかの支持構造の作用効果に加え、次の作用を奏し効果が期待できる。すなわち、閉鎖キャップが上側貫通孔を閉鎖することにより、上側貫通孔を覆い隠すことができ、これにより、上端フレームの美観を保持することができる。
【００１３】
（請求項５に記載した発明の構成）
請求項５に記載した発明に係るフェンスの網体支持構造（以下、「請求項５の支持構造」という）は、上側フレームと下側フレームとの間に網体を支持して成る支持構造である。請求項５の支持構造の特徴は、前記網体は、前記上側フレームと前記下側フレームとの間に架け渡される少なくとも１本の縦棒を含み、前記縦棒は、その上端部が前記上側フレームにネジ固定され、かつ、その下端部が前記下側フレームにネジ固定されている構造であって、前記縦棒は、前記上側フレームと前記下側フレームとを互いに引っ張り合うようにネジ固定され、前記縦棒上端部下方には、前記上側フレーム下端面に当接してネジ固定による当該上側フレームの下降を阻止するための上側当接部が設けられ、かつ、前記縦棒下端部上方には、前記下側フレーム上端面に当接してネジ固定による当該下側フレームの上昇を阻止するための下側当接部が設けられていることを特徴とする。
【００１４】
（請求項５に記載した発明の作用効果）
請求項５の支持構造は、上側フレームと下側フレームとの間に縦棒を介して網体を支持する、という基本的な作用効果を奏する。縦棒は、上側フレームと下側フレームとに、それぞれその上端部と下端部とがネジ固定される。ネジ固定なので、組立と分解を比較的容易に行うことができる。また、縦棒の上端部と下端部とをネジ固定することにより上側フレームと下側フレームとを互いに引っ張り合う方向に力が生じ、これに抗する力が上側当接部と上側フレーム下端面との当接及び下側当接部と下側フレーム上端面との当接により生じる。両者の力が均衡して、上側フレームと下側フレームとの間に網体が支持される。
【００１７】
【発明の実施の形態】
次に、各図を参照しながら、本発明の実施の形態（以下、「本実施形態」という）を説明する。図１は本実施形態に係る組立フェンスの斜視図であり、図２は枠体の正面図である。図３は嵌合ピンの取付構造を示す拡大図であり、図４は上側枢支構造の拡大斜視図である。図５は下側枢支構造の拡大斜視図であり、図６は組立フェンスを折り畳むときの状態を示す平面図である。なお、本実施形態のフェンスの網体支持構造は複数のフェンスを連結して成る組立フェンスを示しているが、単体のフェンスに用いることもできる。また、本実施形態のフェンスはペット用であることを前提に説明しているが、このようなペット用に限る必要はない。たとえば、空調装置の室外機や暖房器の保護カバーとしてや、乳幼児の遊び場を確保するための防護フェンスとしても用いることができる。さらに、屋内外を問わず使用することができる。
【００１８】
（組立フェンスの概略構造）
図１及び２を参照しながら、組立フェンスの概略構造について説明する。本実施形態における組立フェンス１は、同じ形状を持つ４枚（個）の枠体３，３，．．を環状に連結して成り、上から見た形状がほぼ正方形（矩形）になっている。隣り合わせの枠体３，３同士は、後述する連結部５により枢支され回動自在に連結されている。なお、枠体３は、本実施形態のように４枚により構成するのが一般的であるが、飼育するペットの大きさや数に応じて３枚により構成したり５枚以上により構成することもできる。また、必要に応じて、何れかの枠板３に開閉式の出入口を形成し、そこからペットがフェンス内に出入りできるように構成してもよい。
【００１９】
（枠体の構成）
図２及び３に基づいて、枠体３について説明する。枠体３は、上下に平行配置される上側フレーム１１と下側フレーム１３と、この上側フレーム１１と下側フレーム１３間に配される網体１５により構成されている。上側フレーム１１（下側フレーム１３）は、インテリアとデザイン的に調和し重厚感が生まれるように木製としたが、合成樹脂製とすることもできる。上側フレーム１１の両端には、後述する枢支ピン７を貫通させるための貫通孔２５が高さ方向に形成され、さらに、上側フレーム１１の両端部及び中央部には、後述する上側嵌合ピン８を嵌合させるための上側貫通孔２７が形成されている。上側フレーム１１の下端面には、網体１５の上端部を受け入れるための網体用凹部２９が切削形成されている。これに対し下側フレーム１３の両端には、突出ピン３５，３５が係止孔４１，４１内に差し込み固定され、さらに、各引張棒１７ａに対応する位置に後述する下側嵌合ピン９を嵌合させるための下側貫通孔３７，３７，．が高さ方向に貫通されている（図３（ｃ）参照）。下側フレーム１３の上端面には、網体１５の下端部を受け入れるための網体用凹部３９が形成されている。網体用凹部２９，３９は、上側フレーム１１及び下側フレーム１３とそれぞれ当接する網体１５の上端部及び下端部の位置決めとズレ止めを主目的として形成されたものである。
【００２０】
一方、図２に示す網体１５は、横方向に一定間隔（たとえば、１０センチメートル）を空けて配された縦棒群１７，１７，．．．と、この縦棒群１７，１７，．．．を連結して補強するために溶接された４本の横棒群１９，１９と、から構成されている。縦棒群１７，１７は、さらに、両端と中央部に配された引張棒１７ａ，．．と引張棒１７ａ以外の突っ張り棒１７ｂ，１７ｂ，．．．により構成されている。引張棒１７ａは、上側フレーム１１と下側フレーム１３とを互いに引っ張るように構成され、他方、突っ張り棒１７ｂは、その上端部が上側フレーム１１の下端部に、その下端部が下側フレーム１３の上端部に、それぞれ当接して引張棒群１７ａの引張力に抗するように構成されている。すなわち、引張棒群１７ａの引張力の作用と、この作用に抗する突っ張り棒群１７ｂの反作用とのバランスにより、上側フレーム１１と下側フレーム１３との間に網体１５が取り付けられるように構成されている。
【００２１】
（嵌合ピンの構成）
図３（ａ）に示すように上側嵌合ピン８は、ピン本体４７ｂとピン本体４７ｂの上端に設けられたフランジ部４７ｆを備え、フランジ部４７ｆは上側貫通孔２７内に形成された係止段部２７ｄに係止されるように構成されている。他方、図３（ｂ）に示す下側嵌合ピン９は上側嵌合ピン８と同形状に形成され、ピン本体５７ｂとピン本体５７ｂの下端に設けられたフランジ部５７ｆを備え、フランジ部５７ｆは下側貫通孔３７に形成された係止段部３７ｄに係止されるように構成されている。ピン本体４７ｂにはその下端部から、ピン本体５７ｂにはその上端部から、それぞれ縦方向にネジ孔４７ｓ，５７ｓが形成されている。なお、図３に示す符号１０は、上側貫通孔２７の上端部を嵌合閉鎖することにより上側ピン８を覆い隠して見栄えをよくするための閉鎖キャップである。
【００２２】
（引張棒の構成）
図２及び３に基づいて、引張棒１７ａの詳しい構成について説明する。引張棒１７ａには、その上端部外周にジ部１７ｆが、その下端部外周にネジ部１７ｋが、それぞれ形成されている。ネジ部１７ｆは上側嵌合ピン８のネジ孔４７ｓに、ネジ部１７ｋは下側嵌合ピン９のネジ孔５７ｓに、それぞれ螺合するように形成され、この螺合により、上側フレーム１１と下側フレーム１３とが互いに引っ張り合うように構成されている。なお、引張棒１７ａは少なくとも１本あれば足りるが、本実施形態においては、網体１５の両端に各１本と、中央部に１本の合計３本が設けられている。引張棒１７ａの本数を増減するのであれば、網体１５の大きさや強度等を考慮した上で行うようにするとよい。また、本実施形態では、ネジ部１７ｋと下側貫通孔３７に嵌合させた下側嵌合ピン９のネジ孔５７ｓとにより、引張棒１７ａの下端部１７ｋを下側フレーム１３に係止するための係止構造を構成しているが、この下端部１７ｋを下側貫通孔３７を貫通させて下側フレーム１３の下端面から突出させてボルト固定するように構成することもできる。
【００２３】
（連結部の構成）
ここで、図４及び５を参照しながら、連結部５について説明する。連結部５は、後述する襠付支柱５１の上端部と上側フレーム１１との間に形成される上側枢支構造６１と、襠付支柱５１の下端部と下側フレーム１３との間に形成される下側枢支構造６３とにより構成されている。以下、個々の部材について説明する。
【００２４】
（襠付支柱の構成）
上記記載から理解されるように、襠付支柱５１は、上側フレーム１１の一端と下側フレーム１３の一端との間に配され、その上端部を上側枢支構造６１により、その下端部を下側枢支構造６３により、それぞれ枢支され、これにより、隣り合わせの枠体３，３が襠付支柱５１に対して正逆方向に回転運動するよう（回動するように）、かつ、上側フレーム１１と下側フレーム１３に対して簡単に取り付け取り外しできるよう（着脱自在）になっている。襠付支柱５１は、上側フレーム１１や下側フレーム１３とデザインを合わせるために木製であって、隣り合う枠体３，３の上側フレーム１１，１１（下側フレーム１３，１３）を重ね合わせた幅を吸収できるだけの幅、より具体的には、一方と他方の枠体３，３の上側フレーム１１，１１に、枢支ピン７，７を差し込み、両枠体３，３がが略平行になるまでこれらを回動させることができる程度の幅に形成されている。襠付支柱５１の上端面には、枢支ピン７，７を差し込むための上端凹部５３，５３が形成され、これらの枢支ピン７，７及び上端凹部５３，５３と、上側フレーム１１の高さ方向に形成された貫通孔２５，２５とにより上側枢支構造６１が形成されている（図４参照）。
【００２５】
他方、図５に示すように、襠付支柱５１の下端面に形成された下側凹部５５，５５と、下側フレーム１３，１３の上端面から突き出す突出ピン３５，３５とにより、下側枢支構造６３が構成されている。下側枢支構造６３は、突出ピン３５，３５を下側凹部５５，５５に差し込むように襠付支柱５１を上方から降ろすだけで組み立てることができるので、その取り扱いが極めて簡単である。逆に、襠付支柱５１を取り外すには、まず、上側枢支構造６１の枢支ピン７，７を引き抜いてから、図２に仮想線で示すように襠付支柱５１を傾けてから引き上げることにより行えるようになっている。なお、本実施形態の下側枢支構造６３は、襠付支柱５１に下側凹部５５が、下側フレーム１３に突出ピン３５が、それぞれ形成されているが、これとは逆に、襠付支柱５１に突出ピンを、下側フレーム１３に凹部を、それぞれ形成するようにしてもよい。
【００２６】
（枢支ピンの構成）
図４に基づいて、枢支ピン７の構成について説明する。枢支ピン７は、上側フレーム１１に形成された貫通孔２５を介して襠付支柱５１に形成された上側凹部５３に差し込むためのピン本体４７と、ピン本体４７の上端部に形成されたヘッド部４３と、ヘッド部４３の下端部に形成されたフランジ部４５と、から構成されている。ヘッド部４３は、枢支ピン７を差し込んだり抜き取ったりする際に作業者が手で摘むためのものであり、フランジ部４５は、枢支ピン７が差し込まれたときに上端フレーム１１の上面に当接してピン本体４５の差込長さを調整するためのものである。本実施形態におけるヘッド部４３は、作業者が手を痛めたりペットが怪我をしたりすることのないように球状に形成されているが、これら以外の形状であってもよい。
【００２７】
（組立フェンスの折り畳み方法）
図４乃至６を参照しながら、組立フェンスの折り畳み方法について説明する。まず、何れかの枢支ピン７を上側フレーム１１から引き抜いて襠付支柱５１を回動させて枠体３の一端を開放する。その後、他の枠体３，３，３を互い違いの方向に回動させて、図６に示すようにジグザグに折り畳む。抜き取った枢支ピン７は、これを紛失しないように、上側フレーム１１の貫通孔２５又は襠付支柱５１の上側凹部５３に差し込んでおくとよい。これが、組立フェンス１の基本的な畳み方である。この畳み方によれば、枠体３同士を略平行にすることができるので、枠体３，３間の隙間を必要最小限に抑えられるので、それだけコンパクトな折り畳みを実現することができる。さらに、襠付支柱５１が上側フレーム１１から側方に突き出ることがないので、この点でも組立フェンスのコンパクト化に貢献する。また、隣り合う枠体３，３のうち何れかの枢支ピン７を抜き、各枠体３をバラバラにする方法もある。この方法によれば、たとえば、収納場所の関係から複数箇所に分けて収納する必要がある場合や、変則的に積み重ねなければならない場合等にとても便利である。さらに、枢支ピン７を抜き取らずに組立フェンス１を対角線の方向に押しつぶす方法もある。この方法によれば、組立フェンスを僅かに移動させる場合や、一時的に隅に寄せておきたいような場合等に好都合である。
【００２８】
（本実施形態の第１変形例）
図７を参照しながら、図３に示す本実施形態の第１変形例（以下、「第１変形例」という）について説明する。なお、図７に示す部材が図３に示す部材と共通する場合は、図３において使用した符号と部材名をそのまま図７において使用し、重複を避けるためにそれらの説明を省略する。ここで本変形例が本実施形態と異なるのは、縦棒上端部１７ｆの下方には、上側フレーム１１下端面１１ｋに当接してネジ固定による上側フレーム１１の下降（下側フレーム１３方向へ引っ張られること）を阻止するための上側当接部１２が設けられ、かつ、縦棒下端部１７ｋ上方には、下側フレーム１３の上端面１３ｋに当接してネジ固定による下側フレーム１３の上昇、すなわち、上側フレーム１１方向に引っ張られることを阻止するための下側当接部１４が設けられている点である。
【００２９】
すなわち、引張棒１７ａの上端部１７ｆをネジ孔４７ｓに螺合させて上側当接部１２を下端面１１ｋに当接させることにより、上側フランジ４７ｆと上側当接部１２とにより上側フレーム１１を挟持する。これを上側フレーム１１側から観察すると、引張棒１７ａ（引張棒１７ａを含む網体１５）が上側フレーム１１に自立支持されたことになる。他方、これと同様に引張棒１７ａの下端部１７ｋをネジ孔５７ｓに螺合させて下側当接部１４を上端面１３ｋに当接させることにより、引張棒１７ａ（引張棒１７ａを含む網体１５）が下側フレーム１３に自立支持されたことになる。このように第１変形例に示す構成を採用することにより、本実施形態のように突っ張り棒群１７ｂを上側フレーム１１の下端面１１ｋや下側フレーム１３の上端面１３ｋに当接させる必要がなくなる。すなわち、当接させる必要がなくなるので、網体１５の構成を自由に選択できるし、網体１５の構成を本実施形態の場合に比べて簡略化することができる。また、突っ張り棒群の両フレームに対する位置合わせが不用になるので、組立作業が簡単になる。
【００３０】
（本実施形態の第２変形例）
図８及び９を参照しながら、図３に示す本実施形態の第２変形例（以下、「第２変形例」という）について説明する。なお、図８及び９に示す部材が図３に示す部材と共通する場合は、図３において使用した符号と部材名をそのまま図８及び９において使用し、重複を避けるためにそれらの説明を省略する。ここで第２変形例が本実施形態と異なるのは、製造コストを下げるために閉鎖キャップを省略した点である。
【００３１】
すなわち、第２変形例における上側嵌合ピン６８はピン本体６８ｂとピン本体６８ｂに設けられたフランジ部６８ｆとを備えている。ピン本体６８ｂにはネジ孔６８ｓが形成され、フランジ部６８ｆは上側フレーム１１の上側貫通孔２７上端に形成された係止段部６８ｄに係止されるようになっている。また、ネジ孔６８ｓは引張棒１７ａのネジ部１７ｆと螺合するように形成されている。
【００３２】
他方、上側嵌合ピン６８と同形状に形成された下側嵌合ピン６９は、ピン本体６９ｂとこのピン本体６９ｂに設けられたフランジ部６９ｆとを備えている。ピン本体６９ｂにはネジ孔６９ｓが形成され、フランジ部６９は下側フレーム１３の下側貫通孔３７下端に形成された係止段部６９ｄに係止されるようになっている。また、ネジ孔６９ｓは引張棒１７のネジ部１７ｋと螺合するように形成されている。
【００３３】
上側の係止段部６８ｄの深さは係止させたフランジ部６８ｆの上端面が上側フレーム１１の上端面とほぼ同一となるように形成され、これにより上側フレーム１１からフランジ部６８ｆの上端部が突き出さないようにすると美観を確保する上で好ましい。もっとも、フランジ部６８ｆの形状にデザイン性を持たせ、上側フレーム１１の上端面から突き出すように構成してもよい。他方、下側のフランジ部６９ｄは、これが下側フレーム１３の下端面から突出すると枠体３の安定を損ねるので突き出さないように係止段部６９ｄの深さを設定するとよい。
【００３４】
【発明の効果】
本発明に係るフェンスの網体支持構造を使用すると、製造にかかる手間を少なくすることができる。
【図面の簡単な説明】
【図１】  本実施形態に係る組立フェンスの斜視図である。
【図２】  枠体の正面図である。
【図３】  嵌合ピンの取付構造を示す拡大図である。
【図４】  上側枢支構造の拡大斜視図である。
【図５】  下側枢支構造の拡大斜視図である。
【図６】  組立フェンスを折り畳むときの状態を示す平面図である。
【図７】  第１変形例を示す部分拡大図である。
【図８】  第２変形例を示す部分斜視図である。
【図９】  第２変形例を示す部分拡大図である。
【符号の簡単な説明】
１    組立フェンス
３    枠体
５    連結部
７    枢支ピン
８    上側嵌合ピン
９    下側嵌合ピン
１０    閉鎖キャップ
１１    上側フレーム
１２    上側当接部
１３    下側フレーム
１４    下側当接部
１５    網体
１７    縦棒
１７ａ  引張棒
１７ｂ  突っ張り棒
１７ｆ  ネジ部
１７ｋ  ネジ部
１９    横棒
２３    係止ピン
２５    貫通孔
２７    フック用凹部
２７ｄ  係止段部
２９    網体用凹部
３１    ボルト
３５    突出ピン
３７    差込孔
３７ｄ  係止段部
３９    網体用凹部
４１    係止孔
４３    ヘッド部
４５    フランジ部
４７    ピン本体
４７ｓ  ネジ孔
５１    襠付支柱
５３    上側凹部
５５    下側凹部
５７ｓ  ネジ孔
６１    上側枢支構造
６３    下側枢支構造
６８    上側嵌合ピン
６９    下側嵌合ピン
【図１】
0004526667.tif 000002
【図２】
0004526667.tif 000003
【図３】
0004526667.tif 000004
【図４】
0004526667.tif 000005
【図５】
0004526667.tif 000006
【図６】
0004526667.tif 000007
【図７】
0004526667.tif 000008
【図８】
0004526667.tif 000009
【図９】
0004526667.tif 000010